(57)【特許請求の範囲】
【請求項１】
シートクッションのトリムカバーで覆われたシートパッド上面に形成された凹所に埋設されてシートクッションの座面に設けられる車両用シートのための小物入れ構造において、
小物入れは、フランジ付のケース形状の本体と、下方に延びた環状の周縁壁を有して溶融可能な素材から成形され、周縁壁をフランジに係止させて本体に被せられる蓋体とに分割して形成され、
一連の係止片が、蓋体の周縁壁の下端から段部を残して延出し、トリムカバーの端末および本体のフランジに形成された対応するスリットに挿通されて、蓋体の周縁壁の段部と本体のフランジとの間にトリムカバーの端末を挟み込み、
本体のフランジのスリットから突出する係止片の先端が、本体のフランジに溶着、係止されて、トリムカバーの端末を周縁壁の段部、本体のフランジ間に挟持して処理している車両用シートのための小物入れ構造。
【請求項２】
蓋体の環状の周縁壁の外面との間でトリムカバーの端末を挟み込む環状の縁部が、小物入れの本体のフランジに一体に形成された請求項１記載の車両用シートのための小物入れ構造。
【請求項３】
蓋体は、小物の出入り口となる切欠きの形成された天井面を持ち、
本体の側壁が、天井面の背後までフランジを越えて延びている請求項１または２記載の車両用シートのための小物入れ構造。
【請求項４】
フランジ付のケース形状の本体と下方に延びた環状の周縁壁を有した蓋体とに分割して形成された小物入れの蓋体の周縁壁の下端から段部を残して延出した一連の係止片を、トリムカバーの端末および本体のフランジにそれぞれ形成された対応するスリットに挿通させて、蓋体の周縁壁の段部と本体のフランジとの間にトリムカバーの端末を挟み込む工程と、
フランジのスリットから突出する係止片の先端を本体のフランジに溶着、係止して、トリムカバーの端末を周縁壁の段部、本体のフランジの間に挟持する工程と、
周縁壁の段部、本体のフランジ間に挟持されてその端末が処理されたトリムカバーでシートパッドを被覆しながら、小物入れをシートパッド上面の凹所に埋設してシートクッションの座面に設ける工程と、
を備えた車両用シートへの小物入れ取付け方法。
【発明の詳細な説明】
【技術分野】
【０００１】
本発明は、カップホルダなどの小物入れ（小物ケース）をシートクッション座面などに設ける車両用シートのための小物入れ構造および車両用シートへの小物入れ取付け方法に関する。
【背景技術】
【０００２】
シートクッションの座面(上面)にカップホルダなどの小物入れ（小物ケース）を設けて、ドリンク、ガム、ペン、ティッシュなどの小物を収納可能とした車両用シートが知られている。
この種の車両シートにおいては、シートクッションの前端角部などでシートパッドに凹所を形成し、この凹所に樹脂などからなるカップホルダを埋設して小物を収納する小物入れとしている。また、布よりなる袋状のポケットをシートパッドの凹所に被せて小物入れとした構成も知られているが、この構成ではドリンクなどの安定した収納が難しく、シートパッドの凹所に樹脂の小物入れを埋設した構成が広く採用されている。
【０００３】
小物入れ（カップホルダ）は、一般的に、ＰＰ(ポリプロピレン)などの樹脂から凹所の形状に対応しその上端開口の周縁にフランジ(外フランジ、鍔状フランジ)を持つケース形状に成形される。トリムカバー（表皮）は凹所を除いてシートパッドを被覆し、凹所に面したトリムカバーの端末は、樹脂からなる小物入れのフランジと、発泡成形材からなるシートパッドとの間に挟持されて処理される。
【０００４】
トリムカバーの端末を小物入れのフランジ、シートパッド間に挟持して処理する構成では、シートクッション座面が撓むと、小物入れの開口部において小物入れとトリムカバーの端末との間に隙間が生じるおそれがある。小物入れ、トリムカバーの端末の間に隙間が生じると、ドリンク、ガム、ペン、ティッシュなどの小物を小物入れに出し入れするとき、その隙間に指を差し込むことがあるため、ガードを設けるなどの指入れ防止の対策を設ける必要がある。
【０００５】
たとえば、凹所の周縁でシートパッドを他の部分より硬質に成形し、小物入れの底部をシートクッション下面のシートフレームにピン止めして下方への押力をフランジに発生させ、この押力のもとでトリムカバーの端末をシートパッドの硬質部に押し付けて挟持する構成が知られている（たとえば、特開２００６−０６１５３６号公報）。
【０００６】
また、一部を切り欠いてトリムワイヤに巻装した袋状にトリムカバーの端末を縫合し、一対のフック片からなる引掛け片を小物入れのフランジの下面に形成してトリムカバーの袋状の端末の切欠き部でトリムワイヤに係止させて、小物入れのフランジとトリムカバーの袋状の端末とがトリムワイヤを介在して一体化された構成も知られている（たとえば、特開平０９−３０９３７０号公報）。
【先行技術文献】
【特許文献】
【０００７】
【特許文献１】特開２００６−０６１５３６号公報
【特許文献２】特開平０９−３０９３７０号公報
【発明の概要】
【発明が解決しようとする課題】
【０００８】
特開２００６−０６１５３６号公報記載の構成では、シートパッドが硬質に成形されているため、トリムカバーの端末をシートパッドに強く押し付けてシートパッド、小物入れのフランジ間で挟持して、トリムカバーの端末が処理され、小物入れとトリムカバーの端末との間での隙間の発生を防止できる。しかし、凹所の周縁でシートパッドを他の部分より硬質に成形しても、シートパッドが発泡成形材から成形されていることに変わりはない。そのため、大きな圧縮力が凹所の回りでシートパッドに加われば、シートパッドの硬質部の圧縮、変形が避けられず、トリムカバーの端末の挟持が緩んで小物入れとトリムカバーの端末との間で隙間が発生するおそれがあり、隙間の発生を十分に防止できない。そのため、現実的な対応として、隙間への指の差し込みを防ぐ対策が欠かせず、その対策として隙間への指の差し込みを防ぐガードを設ければ、外観品質が損なわれる。
【０００９】
特開平０９−３０９３７０号公報では、小物入れのフランジとトリムカバーの袋状の端末とがトリムワイヤを介在して一体化されることによって、トリムカバーの端末が処理されている。この小物入れ、トリムカバーの端末の一体化でトリムカバーの端末を処理する構成では、トリムカバーの端末は弾性変形可能なシートパッド、小物入れのフランジ間に挟持されていないため、シートパッドの圧縮、変形と無関係となり、大きな圧縮力が凹所の回りでシートパッドに加わっても、小物入れとトリムカバーの端末との間に隙間が生じるおそれがなく、隙間への指入れに対する対策が不要となる。
また、トリムワイヤに巻装されて袋状に縫合されてトリムカバーの端末は待機しており、シートパッドの凹所に小物入れを納めて、そのフランジの引掛け片をトリムワイヤに係止させるだけで小物入れがシートクッションの座面(上面)などに取り付けられ、小物入れの取り付けが容易に行える。
【００１０】
しかしながら、一部の切り欠かれたトリムカバーの端末がトリムワイヤに巻装されて袋状に縫合されており、縫合工程が煩雑で時間を要するため、トリムカバーの端末処理が容易に行えない。
【００１１】
本発明は、縫合を要することなくトリムカバーの端末を処理できる車両用シートのための小物入れ構造の提供を目的としている。
本発明は、縫合を要することなくトリムカバーの端末を処理できる車両用シートへの小物入れ取付け方法の提供を別の目的としている。
【課題を解決するための手段】
【００１２】
本発明では、小物入れをフランジ付の本体と本体に被せられる蓋体とに分割して形成し、シートパッドの凹所に面するトリムカバーの端末を挟み込んで蓋体を本体に被せ、蓋体に設けた係止片の先端を本体のフランジに溶着、係止して、トリムカバーの端末を本体のフランジ、蓋体間に挟持して処理する構成としている。
【００１３】
すなわち、請求項１に係る本発明によれば、シートクッションのトリムカバーで覆われたシートパッド上面に形成された凹所に埋設されてシートクッションの座面に設けられる車両用シートの小物入れ構造において、小物入れは、フランジ付のケース形状の本体と、下方に延びた環状の周縁壁を有して溶融可能な素材から成形され、周縁壁をフランジに係止させて本体に被せられる蓋体とに分割して形成され、一連の係止片が、蓋体の周縁壁の下端から段部を残して延出し、トリムカバーの端末および本体のフランジに形成された対応するスリットに挿通されて、蓋体の周縁壁の段部と本体のフランジとの間にトリムカバーの端末を挟み込み、本体のフランジのスリットから突出する係止片の先端が、本体のフランジに溶着、係止されて、トリムカバーの端末を周縁壁の段部、本体のフランジ間に挟持して処理している。
【００１４】
また、請求項４に係る本発明によれば、フランジ付のケース形状の本体と下方に延びた環状の周縁壁を有した蓋体とに分割して形成された小物入れの蓋体の周縁壁の下端から段部を残して延出した一連の係止片を、トリムカバーの端末および本体のフランジにそれぞれ形成された対応するスリットに挿通させて、蓋体の周縁壁の段部と本体のフランジとの間にトリムカバーの端末を挟み込む工程と、フランジのスリットから突出する係止片の先端を本体のフランジに溶着、係止して、トリムカバーの端末を周縁壁の段部、本体のフランジの間に挟持する工程と、周縁壁の段部、本体のフランジ間に挟持されてその端末が処理されたトリムカバーでシートパッドを被覆しながら、小物入れをシートパッド上面の凹所に埋設してシートクッションの座面に設ける工程と、を備えている。
【発明の効果】
【００１５】
請求項１に係る本発明では、小物入れの本体、蓋体が、溶着、係止によってトリムカバーの端末を挟み、挟持しながら組み立てられ、縫合を要しないでトリムカバーの端末が処理できる。そして、トリムカバーの端末が弾性変形可能なシートパッド、小物入れのフランジ間で挟持されず、シートパッドの圧縮、変形と無関係に挟持されて処理されているため、大きな圧縮力が凹所の回りでシートパッドに加わっても、小物入れ、トリムカバーの端末間での隙間の発生が防止される。
【００１６】
請求項４に係る本発明では、蓋体の係止片を本体のフランジに溶着、係止して蓋体、本体を一体化して小物入れを組み立てれば、トリムカバーの端末が自動的に処理され、縫合を要しないでトリムカバーの端末を処理した小物入れを事前に用意できる。そして、トリムカバーの端末を処理した小物入れを、シートクッションのシートパッドに設けた凹所に埋設することにより、小物入れがシートクッションの座面に容易に取り付けられる。
【図面の簡単な説明】
【００１７】
【図１】本発明の一実施例に係る小物入れがシートクッション座面に設けられた車両用シートの斜視図を示す。
【図２】図１の線Ａ−Ａに沿った部分断面図を示す。
【図３】トリムカバーを介在させた本発明の一実施例に係る小物入れの分解斜視図を示す。
【図４】トリムカバーの端末を挟み込む前における小物入れの一部破断の分解斜視図を示す。
【図５】トリムカバーの端末を挟み込んで蓋体を本体に被せて組み立てられた小物入れの斜視図を示す。
【図６】（Ａ）（Ｂ）は、係止片をフランジに溶着、係止する前後での図５の線Ｂ−Ｂに沿った部分断面図をそれぞれ示す。
【発明を実施するための形態】
【００１８】
小物入れはフランジ付の本体と本体に被せられる蓋体とに分割して形成され、一連の係止片が蓋体の周縁壁の下端から段部を残して延出している。係止片はトリムカバーの端末および本体のフランジに形成された対応するスリットに挿通されて、蓋体の周縁壁の段部、本体のフランジの間にトリムカバーの端末を挟み込む。そして、フランジのスリットから突出する係止片の先端が、本体のフランジに溶着、係止されてトリムカバーの端末を周縁壁の段部、本体のフランジの間に挟持して、トリムカバーの端末が縫合によらないで処理される。
【実施例】
【００１９】
以下、図面を参照しながら本発明の一実施例について詳細に説明する。図１は本発明の一実施例に係る小物入れがシートクッション座面に設けられた車両用シートの斜視図、図２は図１の線Ａ−Ａに沿った部分断面図、図３はトリムカバーを介在させた本発明の一実施例に係る小物入れの分解斜視図をそれぞれ示す。
【００２０】
図１に示すように、車両用シート１０は、シートクッション１２と、シートクッションの後端に設けられたシートバック１４とを有して構成され、アームレスト１４ａがシートバック側面にピン１４ａ１の回りで揺動可能に、ヘッドレスト１４ｈがシートバック上面に昇降可能にそれぞれ設けられている。シートクッション１２、１４の基本的な構造は周知であり、骨格となるシートフレームにウレタンフォームなどの発泡成形材からなるシートパッドを載せ、通気性のあるトリムカバー(表皮)でシートパッドを覆ってシートクッション、シートバックが形成されている。
【００２１】
図１、図２からわかるように、シートクッションのシートパッド１２ｐのたとえば前端に凹所１２ｐ１が形成され、この凹所を利用して、シートクッションの座面(上面)１２ｕにカップホルダなどの小物入れ（小物ケース、カップホルダ）１６が設けられている。
トリムカバー１２ｃは、凹所１２ｐ１を除いてシートパッド１２ｐを被覆しており、シートパッドの凹所に対応した形状の切欠きがトリムカバーに形成され、凹所に面したトリムカバーの端末１２ｃ’は小物入れ１６に挟持されて処理されている。
【００２２】
凹所１２ｐ１は、ドリンク、ガム、ペン、ティッシュなどの小物を収納可能なケース形状、たとえば、横断面が矩形、円形、非円形（たとえば、楕円形）に、縦断面が矩形にそれぞれ成形されている。
【００２３】
本発明では、小物入れ１６は、本体１６ｂと、本体に被せられる蓋体１６ｃとに分割して形成されている。本体１６ｂは上端が開口し、上端開口にフランジ(外フランジ、鍔状フランジ) １６ｂ１を持ち、フランジを残してシートパッドの凹所１２ｐ１に埋設されるフランジ付のケース形状に成形されている。また、蓋体１６ｃは下方に延びた環状の周縁壁１６ｃ１を有し、その周縁壁を本体のフランジに係止させて蓋体を本体に被せることによって、小物入れ１６が組み立てられる。
【００２４】
小物入れの本体１６ｂ、蓋体１６ｃは、いずれも軟質素材から成形され、後述するように、本発明では周縁壁１６ｃ１の一部（周縁壁から延びた係止片の一部）を溶融して周縁壁を本体のフランジ１６ｂ１に溶着、係止するため、蓋体は溶融可能で軟質の素材、たとえば、エラストマー、軟質樹脂などから成形される。通常、本体１６ｂ、蓋体１６ｃは同一素材から成形されており、蓋体と同様に本体もエラストマー、軟質樹脂などの軟質素材から成形されるが、本体を蓋体と別の軟質素材から成形してもよい。
【００２５】
図２に加えて図３を見るとよくわかるように、蓋体１６ｃは、小物の出入り口となる切欠き１６ｃ２’の形成された天井面１６ｃ２を持ち、本体の側壁１６ｂ２はフランジ１６ｂ１を越えて延びて、蓋体が本体に被せられて組み込まれたとき、蓋体の天井面の背後に位置する。また、環状の縁部１６ｂ１’がフランジ１６ｂ１の外縁に形成され、この縁部は蓋体の周縁壁１６ｃ１との間に段差を生じない程度に蓋体の周縁壁とほぼ同一の高さまで周縁壁の外方で上方に延びている。たとえば、縁部１６ｂ１’は、トリムカバーの厚さ相当分を加えると蓋体の周縁壁１６ｃ１とほぼ同一となる高さに形成される。
【００２６】
また、本体のフランジの縁部１６ｂ１’は、蓋体１６ｃが本体１６ｂに組み込まれたとき、蓋体の周縁壁１６ｃ１の外面との間に僅かな隙間を残して位置するように形成されている。たとえば、その上端においてはトリムカバーの端末１２ｃ’の厚さ(トリムカバーの厚さ)より僅かに大きく、下端においては僅かに小さい程度の僅かな隙間を蓋体の周縁壁の外面との間に残す程度に周縁壁１６ｃ１の外方に隣接して、フランジの縁部１６ｂ１’は形成される。
【００２７】
図４は、トリムカバーの端末を挟み込む前における小物入れの一部破断の分解斜視図を示し、図３、図４からわかるように、一連のスリットＳ１がシートパッドの凹所１２ｐ１（図２参照）に面して位置することとなるトリムカバーの端末１２ｃ’に形成されるとともに、一連のスリットＳ２が小物入れの本体のフランジ１６ｂ１に形成されている。トリムカバーの端末１２ｃ’のスリットＳ１、本体のフランジ１６ｂ１のスリットＳ２は同一形状で、たとえば、細長い矩形形状（短冊形状）とされる。
【００２８】
また、一連の係止片１６ｄ１が、蓋体の周縁壁１６ｃ１の下端から段部１６ｄを残して延出している。ここで、蓋体１６ｃ、トリムカバーの端末１２ｃ’、本体のフランジ１６ｂ１に形成された一連の係止片１６ｄ１、スリットＳ１、Ｓ２のそれぞれは、対応する整列位置に設けられ、係止片は、スリットＳ１、Ｓ２を挿通可能にスリットＳ１、Ｓ２より僅かに小さな対応した矩形断面に形成されている。
【００２９】
図５は、トリムカバーの端末を挟み込んで蓋体を本体に被せて組み立てられた小物入れの斜視図、図６（Ａ）（Ｂ）は係止片をフランジに溶着、係止する前後での図５の線Ｂ−Ｂに沿った部分断面図をそれぞれ示す。
図４、図６（Ａ）からわかるように、蓋体の周縁壁１６ｃ１の下端から段部１６ｄを残して下方に延びた係止片１６ｄ１は、まず、トリムカバーの端末のスリットＳ１に挿通され、それから、スリットＳ１の形成されているトリムカバーの端末１２ｃ’を蓋体の周縁壁１６ｃ１と本体のフランジの縁部１６ｂ１’と隙間に引き込んで挟み込みながら、本体のフランジのスリットＳ２に挿通される。
【００３０】
係止片１６ｄ１が、本体のフランジのスリットＳ２に挿通されると、スリットＳ２から突き出た係止片の先端１６ｄ１’（図６（Ｂ）参照）が溶融されてフランジ（詳細にいえば、フランジ下面）に溶着、係止されて、周縁壁の段部１６ｄはトリムカバーの端末１２ｃ’を本体のフランジ(フランジ上面)に押圧して挟持する。つまり、係止片１６ｄ１がスリットＳ１、Ｓ２に挿通されてフランジ１６ｂ１に溶着、係止されることにより、蓋体１６ｃが本体１６ｂに被せられ組み込まれて、小物入れ１６が組み立てられる。そして、蓋体１６ｃが本体１６ｂに被せられて組み込まれると、トリムカバーの端末１２ｃ’は、蓋体の周縁壁１６ｃ１、本体のフランジの縁部１６ｂ１’の間に挟み込まれるとともに、周縁壁の段部１６ｄ、フランジ１６ｂ１の間に挟持され、本体への蓋体の組み込みによる小物入れ１６の組み立てと同時に、トリムカバーの端末が処理される。
【００３１】
図３、図４では、トリムカバーの端末１２ｃ’を間に配置して蓋体１６ｃを本体１６ｂに被せて小物入れ１６の組み立てるように図示しているが、実際には、以下のようにして上下逆にして小物入れは組み立てられる。
（１）すなわち、図３、図４とは逆に、蓋体１６ｃは上下逆にして、つまり、蓋体の周縁壁１６ｃ１の下端から延びた一連の係止片１６ｄ１を上にして、位置決めの冶具に取り付けられ固定される。
（２）それから、表裏逆にして裏面を上にしたトリムカバー１２ｃが、係止片１６ｄ１にそのスリットＳ１を挿通させながら蓋体１６ｃに被せられる。
【００３２】
（３）次に、上下逆にしてその底部を上、フランジ１６ｂ１を下にした本体１６ｂが、係止片１６ｄ１にそのスリットＳ２を挿通させながらトリムカバーの端末１２ｃ’をフランジと周縁壁の段部１６ｄとの間に挟んで蓋体１６ｃに被せられる。
（４）トリムカバーのスリットｓ１、本体のスリットＳ２を挿通してスリットＳ２から突出する係止片の一部（係止片の突出部１６ｄ１’）が、アイロンなどの溶融手段で溶融され、フランジの見掛け上の上面（実際は下面；図６（Ｂ）参照）に押し当てられて係止片１６ｄ１が溶着、係止される。そして、蓋体の周縁壁１６ｃ１の段部１６ｄ、本体のフランジ１６ｂ１（の見掛け上の上面）との間でトリムカバーの端末１２ｃ’を挟持した小物入れ１６が、蓋体１６ｃを下、本体１６ｂを上にして上下逆に組み立てられる。
（５）位置決めの冶具から、蓋体１６ｃを取り外し、上下逆の小物入れ１６を上下反転すれば、小物入れ１６が得られる。
【００３３】
本発明では、本体の蓋部の周壁部１６ｃ１から垂下してトリムカバーの端末のスリットｓ１、本体のフランジのスリットＳ２に挿通された係止片１６ｄ１の一部（突出部１６ｄ１’）を溶融してフランジに溶着、係止させることによってトリムカバーの端末１２ｃが処理されている。つまり、トリムカバー１２ｃをシートパッドの上面に被せる工程の前工程においてトリムカバーの端末１２ｃ’を処理できる。そして、煩雑で時間を要する縫合によらないため、端末処理が迅速、容易に行える。
【００３４】
トリムカバーの端末を弾性変形可能なシートパッド、小物入れのフランジ間で挟持する公知の構成とは異なり、小物入れの本体１６ｂ、蓋体１６ｃの間にトリムカバーの端末１２ｃ’を挟持して処理している。トリムカバーの端末１２ｃ’がシートパッド１２ｐの圧縮、変形と無関係に挟持されて小物入れ１６の組み立てにおいて処理されるため、トリムカバーの端末処理が、シートクッションの座面（上面）などへの小物入れ１６の取り付けと分離して事前に行える。
【００３５】
すなわち、蓋体の係止片１６ｄ１を本体のフランジ１６ｂ１に溶着、係止して蓋体１６ｃ、本体１６ｂを一体化して小物入れ１６を組み立てれば、トリムカバーの端末１２ｃ’が自動的に処理され、トリムカバーの端末を処理した小物入れ１６が得られる。そして、トリムカバーの端末１２ｃ’を処理して組み立てられた小物入れ１６を、シートクッションのシートパッド１２ｐに設けた凹所１２ｐ１（図２参照）に埋設しながらトリムカバー１２ｃをシートパッドの上面に被せ、張設しながらシートクッションの下面でその端末をシートフレームに固定すれば、図１に示すようなシートクッションに小物入れが設けた自動車用シート１０が得られ、小物入れの取付けが容易に行える。
【００３６】
小物入れのフランジ、シートパッドの間にトリムカバーの端末を挟持する公知の構成では、フランジをシートパッド方向に押し付ける押力を確保するために、小物入れの底部などをシートフレームに固定する必要がある。しかしながら、本発明では、トリムカバーの端末１２ｃ’をシートパッド１２ｐ、小物入れのフランジ１６ｂ１の間で挟持しておらず、フランジをシートパッド方向に押し付ける押力を要しないため、小物入れをシートフレームに固定する必要がない。
【００３７】
トリムカバーの端末１２ｃ’を小物入れの本体のフランジ１６ｂ１、シートパッド１２ｐの間に挟持していないとはいえ、大きな圧縮力が凹所１２ｐ１の回りでシートパッドに加わってシートパッドが圧縮、変形すれば、シートパッドを覆うトリムカバー１２ｃが小物入れ１６の回りで小物入れから離れる方向（外方）に引っ張られる。しかしながら、図２からよくわかるように、環状の縁部１６ｂ１’が小物入れの本体のフランジ上面に一体に形成され、蓋体の環状の周縁壁１６ｃ１の外面との間でトリムカバーの端末１２ｃ’を挟み込んでいる。そのため、この本体の縁部１６ｂ１’はトリムカバーの引張に抵抗して蓋体の周縁壁１６ｃ１との間での隙間の発生を防止する。
【００３８】
また、本体の縁部１６ｂ１’が蓋体の周縁壁１６ｃ１とほぼ同一の高さまで延びて蓋体の周縁壁との間に段差がないため、たとえ、本体の縁部１６ｂ１’蓋体の周縁壁１６ｃ１との間に隙間が生じても、隙間の広がりが本体の縁部１６ｂ１’によって隠され、隙間への指の入り込みが防止される。隙間の発生を防止する本体の縁部１６ｂ１’が、隙間への指の差し込みを防止するガードとしても機能しているため、指の差し込みを防ぐ専用のガードを設ける必要がない。
【００３９】
専用のガードが設けられず、小物入れがシートフレームに固定されないため、構成が簡単化されて、小物入れのコストおよび重量の削減が可能となる。
また、トリムカバー１２ｃで覆われているため、本体の縁部１６ｂ１’が存在しても外観品質を損なうこともない。
【００４０】
図２、図５からわかるように、ガム、ペン、ティッシュなどの小物は、蓋体の天井面の切欠き１６ｃ２’から小物入れの本体１６ｂに出し入れされる。そして、本体の側壁１６ｂ２が蓋体の天井面１６ｃ２の背後まで延びているため、ガムなどを本体１６ｂに入れるとき、蓋体の天井面を誤って強く押圧しても、天井面の過剰な変形が本体の側壁で妨げられて天井面の破損が防止される。
【００４１】
上記のように、本発明によれば、小物入れの本体、蓋体が、溶着、係止によってトリムカバーの端末を挟み、挟持しながら組み立てられ、トリムカバーの端末が弾性変形可能なシートパッド、小物入れのフランジ間で挟持されず、シートパッドの圧縮、変形と無関係に挟持されて処理されているため、小物入れ、トリムカバーの端末間での隙間の発生が防止される。
また、小物入れの本体、蓋体が、溶着、係止によってトリムカバーの端末を挟み込んで挟持しながら組み立てられており、煩雑で時間を要する縫合によらない。そのため、トリムカバーの端末処理が容易に行える。
【００４２】
さらに、蓋体の係止片を本体のフランジに溶着、係止して蓋体、本体を一体化して小物入れを組み立てれば、トリムカバーの端末が自動的に処理され、縫合を要しないでトリムカバーの端末を処理した小物入れを事前に用意できる。そのため、トリムカバーの端末を処理した小物入れを、シートクッションのシートパッドに設けた凹所に埋設することにより、小物入れがシートクッションの座面に容易に取り付けられる。
【００４３】
上述した実施例は、この発明を説明するためのものであり、この発明を何等限定するものでなく、この発明の技術範囲内で変形、改造等の施されたものも全てこの発明に包含されることはいうまでもない。
【００４４】
たとえば、小物入れの蓋体１６ｃの素材として、エラストマー、軟質樹脂などの溶融可能の軟質素材を例示したが、これに限定されず、異物感がなく小物を安定して収納できる軟質の素材で溶融できるものであればよい。
【００４５】
また、実施例では、小物入れ１６はシートクッションの座面１２ｕの前端に設けられているが、小物入れを設ける位置はこれに限定されず、シートクッションの座面の左右の端に設けてもよい。さらに、小物入れ１６を設ける位置はシートクッションの座面１２ｕに限定されず、他の位置、たとえば、アームレスト１４ａの上面に設けてもよい。
【産業上の利用可能性】
【００４６】
本発明は、ドライバーシート、アシスタントシートなどのフロントシートだけでなく、セカンドシート、サードシートなどのシートにも応用できる。さらに、通常、自動車のシートに応用されるが、自動車以外の車両用シート、たとえば、電車、飛行機等の種々なシートにも本発明を応用できる。
【符号の説明】
【００４７】
１０        車両用シート
１２        シートクッション
１２ｕ      シートクッションの座面(上面)
１２ｃ      トリムカバー
１２ｃ’    トリムカバーの端末
１２ｐ      シートパッド
１２ｐ１    凹所
１６        小物入れ(小物ケース、カップホルダ)
１６ｂ      本体
１６ｂ１    フランジ
１６ｂ１’  縁部
１６ｃ      蓋体
１６ｃ１    周縁壁
１６ｄ      段部
１６ｄ１    係止片
Ｓ１        トリムカバーの端末のスリット
Ｓ２        本体のフランジのスリット
【図１】
0005504422.tif 000002
【図２】
0005504422.tif 000003
【図３】
0005504422.tif 000004
【図４】
0005504422.tif 000005
【図５】
0005504422.tif 000006
【図６】
0005504422.tif 000007